(57)【要約】【課題】従来の加熱調理器では、調理中、ご飯から溶出する余分なデンプンや糖を除去し、ご飯のデンプン濃度を下げ、低カロリー化しなければならないという課題があった。【解決手段】本体内に着脱自在に収納される内鍋２と、内鍋２を加熱する加熱部４と、内鍋内の溶液を内鍋外へ排出する排出部７と、加熱部４と排出部７を制御する制御手段８を備えた加熱調理器であり、これによれば、排出部７により、調理中に溶液にご飯から溶け出たデンプンや糖などを除去することで、炊き上がった米のデンプン濃度を下げることができ、低カロリー化をすることができる。【選択図】図１
2014217503.tif 000002
【特許請求の範囲】
【請求項１】
本体内に着脱自在に収納される内鍋と、
前記内鍋を加熱する加熱部と、
前記内鍋内の溶液を前記内鍋外へ排出する排出部と、
前記加熱部と前記排出部を制御する制御手段を備えた加熱調理器。
【請求項２】
前記排出部の一端が前記鍋内の底部近傍に位置し、他端が前記内鍋外に配置される請求項１に記載の加熱調理器。
【請求項３】
前記排出部に連結されて、前記一端から溶液を吸引し、前記他端から溶液を排出するよう構成されたポンプを有する請求項２に記載の加熱調理器。
【請求項４】
前記内鍋外かつ前記本体内に設けられ、前記本体に着脱自在に設置された液体タンクを設け、前記排出部の他端が前記液体タンクに接続された請求項２または３に記載の加熱調理器。
【発明の詳細な説明】
【技術分野】
【０００１】
本発明は一般家庭やレストランなどの業務用などで使用する加熱調理器に関するものである。
【背景技術】
【０００２】
従来、一般の加熱調理器では、炊き干し法といわれる手法を用いた加熱調理器として、特許文献１が知られている。これは、内鍋に適量の水とお米を入れ、電気やガスなどで内釜を加熱して、水を全て米に吸収または蒸発させてお米を炊いている。これによって、お米の持つβデンプンをαデンプン化することにより、お米を食べられる状態にしている。
【０００３】
このように、炊き干し法で炊飯すると、調理中にお米から溶液に溶出したデンプンや糖がもう一度、ご飯に吸収されるため、デンプン濃度が高く、高カロリーのご飯となっている。
【先行技術文献】
【特許文献】
【０００４】
【特許文献１】特許第４９９７８８０号公報
【発明の概要】
【発明が解決しようとする課題】
【０００５】
しかしながら、上記従来の構成では、炊き上がったご飯のデンプン濃度が高く、高カロリーのため、糖尿病患者やメタボ患者はできるだけご飯を食べることを避ける。また、健康志向やダイエットのニーズのためにご飯離れが急速に進み、パンや麺といった方向に進み、日本の自給率低下が更に進んでいる。そのため、調理中にお米から溶液に溶出した余分なデンプンや糖を除去し、ご飯のデンプン濃度を下げ、低カロリー化しなければならないという課題が生じている。
【０００６】
本発明は上記の課題を解決するもので、調理中にお米から溶液に溶出した余分なデンプンや糖を除去することで、ご飯のデンプン濃度を下げ、低カロリーのご飯を炊くことができる加熱調理器を提供することを目的とする。
【課題を解決するための手段】
【０００７】
前記の課題を解決するために、本発明の加熱調理器は、本体内に着脱自在に収納される内鍋と、前記内鍋を加熱する加熱部と、前記内鍋内の溶液を前記内鍋外へ排出する排出部と、前記加熱部と前記排出部を制御する制御手段を備えた加熱調理器である。
【０００８】
本発明にかかる加熱調理器によれば、排出部により、調理中にお米から溶液に溶出した余分なデンプンや糖を除去することで、炊き上がった米のデンプン濃度を下げることができ、低カロリーのご飯を炊くことができる。
【発明の効果】
【０００９】
本発明の加熱調理器は、調理中にお米から溶液に溶出した余分なデンプンや糖を除去することで、ご飯のデンプン濃度を下げ、低カロリーのご飯を炊くことができる。
【図面の簡単な説明】
【００１０】
【図１】本発明の実施の形態１における加熱調理器の炊飯時の構成を示す断面図
【図２】本発明の実施の形態１における加熱調理器の炊飯動作を示すフローチャート
【図３】本発明の実施の形態１における加熱調理器の加熱調理器の炊飯工程の特性図
【発明を実施するための形態】
【００１１】
第１の発明は、本体内に着脱自在に収納される内鍋と、前記内鍋を加熱する加熱部と、前記内鍋内の溶液を前記内鍋外へ排出する排出部と、前記加熱部と前記排出部を制御する制御部を備えた加熱調理器である。
【００１２】
これによれば、排出部により、調理中に溶液にご飯から溶け出たデンプンや糖などを内鍋外へ排出することで、炊き上がった米のデンプン濃度を下げることができ、低カロリー化をすることができる。
【００１３】
第２の発明は、特に第１の発明において、前記排出部の一端が前記内鍋内の底部近傍に位置し、他端が前記内鍋外に配置される加熱調理器である。
【００１４】
これによれば、排出部の一端が底部近傍に位置するため、排出したい溶液を全て排出することができるため、調理中に溶液にご飯から溶け出たデンプンや糖などを除去することで、炊き上がった米のデンプン濃度を下げることができ、低カロリー化をすることができる。
【００１５】
第３の発明は、特に第２の発明において、前記排出部に連結されて、前記一端から溶液を吸引し、前記他端から溶液を排出するよう構成されたポンプを有する加熱調理器である。
【００１６】
これによれば、ポンプによりスムーズに溶液を排出できるため、調理中に溶液にご飯から溶け出たデンプンや糖などを除去することで、炊き上がった米のデンプン濃度を下げることができ、低カロリー化をすることができる。
【００１７】
第４の発明は、特に第２または第３の発明において、前記内鍋外かつ前記本体内に設けられ、前記本体に着脱自在に設置された液体タンクを設け、前記排出部の他端が前記液体タンクに接続された加熱調理器である。
【００１８】
これによれば、排出された溶液は液体タンクに収納されるため、お手入れが簡単にでき、さらに調理中に溶液にご飯から溶け出たデンプンや糖などを除去することで、炊き上がった米のデンプン濃度を下げることができ、低カロリー化をすることができる。
【００１９】
以下、本発明の実施の形態について、図面を用いて詳細に説明する。なお、この実施の形態によって本発明が限定されるものではない。
【００２０】
（実施の形態１）
図１は本発明の実施の形態１における加熱調理器の炊飯時の構成を示す断面図である。図１において、この加熱調理器は調理器本体１内に着脱自在に収納されると共に被調理物３を収納可能な内鍋２と、内鍋２の開口部を覆う内蓋１６と、内鍋２を加熱する加熱部４と、内鍋２内の溶液１５を内鍋２外へ排出する排出部７と、加熱部４と排出部７を制御する制御手段８を備えている。内鍋２に被調理物３を入れ、制御手段８により加熱部４を制御し、被調理物３を調理する。また、加熱部４は、ヒータ式、誘導加熱式、ガス式、マイクロ波など問わない。
【００２１】
排出部７の一端７ａは内鍋２内の底部近傍に位置し、他端７ｂは内鍋２外の調理器本体１内に配置され、液体タンク１１に接続されている。排出部７の一端７ａは内鍋２内の底部近傍に位置しているのは、溶液１５をできるだけ多く排出するためである。ポンプ１０
により、ポンプ１０に連結された排出部７の一端７ａから溶液１５を吸引し、他端７ｂから溶液１５を液体タンク１１に排出する。また、液体タンク１１は調理器本体１に着脱自在に設置されており、溜まった溶液１５を捨てるのに便利かつお手入れ簡単な機構になっている。排出部の一端７ａには被調理物３を同時に吸い込まないように、フィルターを設け、排出部７が詰まらないように設計されている。
【００２２】
鍋温度センサ９は内鍋２の底に対して対向するよう取り付けられており、湯取り法における炊飯工程の蒸らし時にお米が焦げないように内鍋２の温度を検知し、制御手段８により加熱部４を調整することができる。
【００２３】
調理器本体１の上部には上蓋１２が配され、上蓋１２には、上蓋１２に対して着脱自在に配され内鍋２の上面開口部を覆い、内鍋２を密閉する内蓋１６が配されている。また、上蓋１２には蒸気を逃がす着脱自在の蒸気筒１４も配されており、調理中の蒸気が蒸気筒１４から出て行くようになっている。
【００２４】
蓋センサ１３は上蓋１２に配され、調理中の溶液１５が蒸発することで、蒸気が内蓋１６にあたることで、内蓋１６に熱が伝わり、熱伝導で上蓋１２に伝わった熱を検知し、内鍋２に収納される被調理物３の温度を間接的に検知することができる。
【００２５】
以上のように構成された加熱調理器について、先ず、炊飯工程の各工程について図面に基づいて説明する。図２は、本発明の実施の形態１における加熱調理器の炊飯動作を示すフローチャートである。
【００２６】
先ず、米を洗い、内鍋２内に水を適量入れ、その水の中に米をセット（Ｓ５）する。なお、無洗米の場合は洗う必要がないなどの加工米は米に最適な処方を行う。そして、炊飯をスタート（Ｓ６）させる。
【００２７】
まず、炊き上げ工程（Ｓ１）に入る。制御手段８により、加熱部４動作させ、内鍋２をすぐに加熱スタート（Ｓ７）する。内鍋２内に水が沸騰するまで加熱し続ける。なお、今回は水からスタートさせたが、予め沸きあがった湯に洗米した米を投入してスタートさせてもかまわない。また、従来の炊飯器でもあるような、酵素を活性させる温度帯でお米に吸水をさせる吸水工程を炊き上げ工程（Ｓ１）の前に加えても構わない。
【００２８】
次に、沸騰維持工程（Ｓ２）に入る。沸騰後、沸騰維持（Ｓ８）し続け、蓋センサ１３で沸騰を検知（Ｓ９）してから、所定の時間経過後に制御手段８により加熱部４の動作を止める（Ｓ１０）。炊き上げ工程（Ｓ１）、沸騰維持工程（Ｓ２）で、お米から溶液１５にデンプンや糖などが溶出する。所定の時間とは１０分程度を指す。しかし、お米の種類により、１０分ではまだ芯が残る場合も得るので、その際は時間変更して最適な柔らかさになるよう炊き上げる。
【００２９】
沸騰維持工程（Ｓ２）後、排出工程（Ｓ３）に移り、制御手段８によりポンプ１０を駆動させ、ポンプ１０に連結された排出部７の一端７ａから溶液１５を吸引し、他端７ｂから溶液１５を液体タンク１１に排出（Ｓ１１）する。そうすることで、お米から溶液１５に溶出したデンプンや糖などを除去することができる。ほぼ流量がゼロになると、内鍋２内から溶液１５が排出されたとポンプ１０が判断し、制御手段８によりポンプ１０の駆動を止める。その他、内鍋２内から溶液１５が排出されたかどうかの判断は、水位線を赤外線で判断するか、重量などで判断することができる。
【００３０】
排出工程（Ｓ３）後、蒸らし工程（Ｓ４）に移り、制御手段８により、加熱部４を動作させ内鍋２を再度加熱し、米の余分な水を飛ばす（Ｓ１２）。そして、鍋温度センサ９が
所定の温度を超えたことを検知すると、制御手段８により、加熱部４を止める（Ｓ１３）。
【００３１】
蒸らし工程（Ｓ４）後、炊飯終了（Ｓ１４）となり、調理中に溶液１５にご飯から溶け出たデンプンや糖などを除去することで、炊き上がった米のデンプン濃度を下げることができ、低カロリー化をしたご飯が炊ける。そのため、糖尿病患者やメタボ患者、ダイエット、健康志向の人でも、ご飯を食べることができるようになり、ご飯離れを防ぐことができる。
【００３２】
以上のように構成された加熱調理器について、次に、炊飯工程の各工程における加熱手段や排出部の制御状態について図面に基づいて説明する。図３（ａ）は本発明の実施の形態１における加熱調理器の炊飯工程における鍋温度検知手段における検知温度の温度変化を示す特性図、図３（ｂ）は本発明の実施の形態１における加熱調理器の炊飯工程における加熱部の制御特性図、図３（ｃ）は本発明の実施の形態１における加熱調理器の炊飯工程における排出部の制御特性図である。
【００３３】
図３において、炊き上げ工程（Ｓ１）で、制御手段８で制御して図３（ｂ）に示すように加熱部４を動作させ、一気に内鍋２内の水の温度を上げる。
【００３４】
次に沸騰維持工程（Ｓ２）では、制御手段８により、加熱部４をＤｕｔｙ制御し、沸騰を維持し、蓋センサ１３が沸騰を検知してから、お米が柔らかくなるまで所定の時間加熱し続ける。その後、所定の時間経過後、制御手段８により、加熱部４の動作を止める。
【００３５】
その後、排出工程（Ｓ３）では、加熱部４による加熱は止めておく。もし、必要であれば、加熱しても構わない。この排出工程（Ｓ３）で、制御手段８により、ポンプ１０を駆動し排出部７より、内鍋２内の調理中にご飯から溶け出たデンプンや糖などの溶液１５を、内鍋２外に排出し、液体タンク１１に溜める。
【００３６】
最後に、蒸らし工程（Ｓ４）では、適度にご飯が焦げないよう、ご飯の余分な水分を飛ばすよう加熱部４を制御手段８でＤｕｔｙ制御する。
【００３７】
以上のような、加熱調理器により、排出部７により、調理中に溶液にご飯から溶け出た余分なデンプンや糖を除去することで、ご飯のデンプン濃度を下げ、低カロリーのご飯を炊くことができる加熱調理器を提供することができる。そのため、低カロリー化をすることができ、糖尿病患者やメタボ患者、ダイエット、健康志向の人でも、ご飯を食べることができるようになり、ご飯離れを防ぐことができる。さらに、自動化できるため、料理の手間が省けた画期的な商品となっている。
【００３８】
また、この炊飯手法は湯取り法と呼ばれ、インディカ種のお米に対しても、インディカ種のお米の良さであるパラパラとした状態に炊き上げることができ、汁物などをご飯にかけた際、汁とご飯が一粒一粒絡み合い、美味しくいただくことができる。そのため、グローバルに対応した調理器として活躍でき、更なる米の普及に貢献できる加熱調理器である。
【産業上の利用可能性】
【００３９】
以上のように、本発明の加熱調理器は、調理中に溶液にご飯から溶け出たデンプンや糖などを除去することで、炊飯後のご飯のデンプン濃度を下げることができ、低カロリー化をすることで、糖尿病患者やメタボ患者、ダイエット、健康志向の人でも、ご飯を食べることができるため、家庭用または業務用の加熱調理器として有用である。
【符号の説明】
【００４０】
１  調理器本体
２  内鍋
３  被調理物
４  加熱部
７  排出部
７ａ  一端
７ｂ  他端
８  制御手段
９  鍋温度センサ
１０  ポンプ
１１  液体タンク
１２  上蓋
１３  蓋センサ
１４  蒸気筒
１５  溶液
１６  内蓋
【図１】
2014217503.tif 000003
【図２】
2014217503.tif 000004
【図３】
2014217503.tif 000005